(57)【要約】【目的】  小型で設置スペースが小さく、シールドジャッキシューがスキンプレートから離反してもその回転を規制できるシールドジャッキシューの振止及びジャッキロッドの回転防止装置を提供する。【構成】 シールドジャッキ１のロッド４の先端部に、既設セグメントの前端面を押圧するシールドジャッキシュー５をロッド４に対して偏心させて支持するための偏心部材６を有するシールドジャッキシューの振止及びジャッキロッドの回転防止装置において、ロッド４或いは偏心部材６に、ロッド４又は偏心部材６からスキンプレート２内周面１９へと延出されスキンプレート２内周面１９と当接して摩擦させてシールドジャッキシュー５及びロッド４の回転を規制する回転規制手段２１を設けた。【選択図】        図１
2005179946.tif 000002
【特許請求の範囲】
【請求項１】
シールドジャッキのロッドの先端部に、既設セグメントの前端面を押圧するシールドジャッキシューを上記ロッドに対して偏心させて支持するための偏心部材を有するシールドジャッキシューの振止及びジャッキロッドの回転防止装置において、上記ロッド或いは上記偏心部材に、これらロッド又は偏心部材からスキンプレート内周面へと延出されこのスキンプレート内周面と当接して摩擦させて上記シールドジャッキシュー及びロッドの回転を規制する回転規制手段を設けたことを特徴とするシールドジャッキシューの振止及びジャッキロッドの回転防止装置。
【請求項２】
上記回転規制手段は、基端部が上記ロッド或いは偏心部材に固定され、他端部が上記スキンプレート内周面に延出されてスキンプレートの周方向に少なくとも二箇所以上で当接するように構成された請求項１記載のシールドジャッキシューの振止及びジャッキロッドの回転防止装置。
【請求項３】
上記回転規制手段の他端部の上記スキンプレートとの当接部が、スキンプレート内周面よりも軟質な樹脂材料にて形成された請求項２記載のシールドジャッキシューの振止及びジャッキロッドの回転防止装置。
【請求項４】
上記偏心部材が、上記シールドジャッキシューを上記シールドジャッキから偏心させる偏心金具と、この偏心金具の後端面に設けられ回転することで上記シールドジャッキシューの偏心量を変更させる偏心回転板とを備え、上記回転規制手段が、上記偏心回転板に予め取り付けられ上記シールドジャッキシューがシールド径方向内側に配置される時に上記スキンプレート内周面に当接するように構成された請求項１から３いずれかに記載のシールドジャッキシューの振止及びジャッキロッドの回転防止装置。
【請求項５】
上記偏心部材が、上記シールドジャッキシューを上記シールドジャッキから偏心させる偏心金具と、この偏心金具の後端面に取り付けられその取付位置を変更することで上記シールドジャッキシューの偏心量を変更させる偏心板とを備え、上記シールドジャッキシューがシールド径方向内側に配置される時に上記回転規制手段が上記偏心金具に取り付けられ上記スキンプレート内周面に当接するように構成された請求項１から３いずれかに記載のシールドジャッキシューの振止及びジャッキロッドの回転防止装置。
【請求項６】
上記偏心部材が、上記シールドジャッキシューを上記シールドジャッキから偏心させる偏心金具と、この偏心金具の先端に設けられ回転することで上記シールドジャッキシューの偏心量を変更させる偏心回転板とを備え、上記回転規制手段が、上記偏心金具の側面に予め取り付けられ常時上記スキンプレート内周面に当接するように構成された請求項１から３いずれかに記載のシールドジャッキシューの振止及びジャッキロッドの回転防止装置。
【発明の詳細な説明】
【技術分野】
【０００１】
本発明は、シールドジャッキのロッドの先端部に設けられ既設セグメントの前端面を押圧するシールドジャッキシューの振止及びジャッキロッドの回転防止装置に関するものである。
【背景技術】
【０００２】
シールド掘進機は、シールドジャッキで既設セグメントを押圧することで推進力を得ている。シールドジャッキのロッド先端部には、既設セグメントの前端面を押圧するシールドジャッキシューが設けられている。
【０００３】
ところで、シールド掘進機で急カーブのトンネルを掘削する際には、シールド掘進機後端のスキンプレートの移動軌跡を考慮して、小径のセグメントが組み立てられる場合がある。また、地中障害物を避けるためにトンネルが途中で小径になる場合もある。
【０００４】
この場合、セグメントがシールド掘進機の径方向内側に位置することとなるため、シールドジャッキシューとセグメントとで位置ズレが発生する。そのため、シールドジャッキシューを、スキンプレートの内周面から離反させて、セグメントの位置に合わせるようになっている。
【０００５】
このようにシールドジャッキシューをスキンプレートの内周面から離反させると、図９に示すように、シールドジャッキシュー５１が、その重量によってシールドジャッキ５２のロッド５３を中心として回転してしまう。そのため、シールドジャッキシュー５１の一端部が、シールド掘進機５４の内部側に入り込んで組立前のセグメントや他の構成部材に干渉したり、他端部が、スキンプレート５５の内周面５６に当接してスキンプレート５５を損傷させる虞があった。
【０００６】
そこで、シールドジャッキシュー５１の回転を規制する回転防止機構が、従来より複数案出されていた。
【０００７】
例えば、図１０に示す回転防止機構５７は、シールドジャッキ５２を支持するフランジ５８に、シールドジャッキ５２と平行な棒状部材５９が、その長手方向に摺動自在に設けられ、その棒状部材５９がシールドジャッキ５２のロッド５３に連結されている。上記構成によれば、棒状部材５９によってロッド５３の回転が規制されるので、これに支持されたシールドジャッキシュー５１の回転も規制される（例えば、特許文献１参照）。
【０００８】
図１１に示す回転防止機構６１は、シールドジャッキシュー５１或いはスキンプレート５５の内周面５６にシールド径方向に延びる突状の係合部材６２を設け、これに対向するスキンプレート５５の内周面５６又はシールドジャッキシュー５１に、係合部材６２が係合する係合溝６３が形成されている。上記構成によれば、係合部材６２が係合溝６３に係合するので、シールドジャッキシュー５１が、周方向に移動するのを直接的に防止できる（例えば、特許文献２参照）。
【０００９】
図１２に示す回転防止機構６４は、シールドジャッキシュー５１のシールド周方向両側に、バネ（図示せず）にてスキンプレート５５の内周面５６側に付勢される押圧ロッド６５がそれぞれ設けられている。上記構成によれば、シールドジャッキシュー５１両側の押圧ロッド６５が、スキンプレート５５の内周面５６を押圧することで固定され、シールドジャッキシュー５１の回転を規制することができる（例えば、特許文献３参照）。
【００１０】
【特許文献１】実開昭６３−１２６４９６号公報
【特許文献２】実開昭５８−１５３２９７号公報
【特許文献３】実開平３−４２８９２号公報
【発明の開示】
【発明が解決しようとする課題】
【００１１】
しかしながら、図１０に示した回転防止機構５７では、棒状部材５９はシールドジャッキ５２のストローク分の長さが必要となるため、広い設置スペースが必要となり、レイアウト上の問題があった。さらに、棒状部材５９がシールドジャッキ５２のスキンプレート５５側へ設けられており、シールドジャッキ５２をスキンプレート５５から離して設けなければならないため、シールドジャッキ５２とシールドジャッキシュー５１との偏心量が大きくなり、シールドジャッキ５２が大型化してしまうといった問題もあった。
【００１２】
図１１に示す回転防止機構６１は、シールドジャッキシュー５１とスキンプレート５５に、係合部材６２と係合溝６３とをそれぞれ設けているため、シールドジャッキシュー５１がスキンプレート５５から離反すると、回転防止機能を果たせないといった問題があった。さらに、構造部材であるスキンプレート５５に係合溝６３を形成するのは、強度上、好ましくない。
【００１３】
図１２に示す回転防止機構６４は、シールドジャッキシュー５１に設けた押圧ロッド６５でスキンプレート５５を押圧しているため、シールドジャッキシュー５１がスキンプレート５５から押圧ロッド６５の移動ストローク以上離反すると、回転防止機能を果たせないといった問題があった。
【００１４】
そこで、本発明は、上記課題を解決するために創案されたものであり、その目的は、小型で設置スペースが小さく、シールドジャッキシューがスキンプレートから離反してもその回転を規制できるシールドジャッキシューの振止及びジャッキロッドの回転防止装置を提供することにある。
【課題を解決するための手段】
【００１５】
上記目的を達成するために、本発明は、シールドジャッキのロッドの先端部に、既設セグメントの前端面を押圧するシールドジャッキシューを上記ロッドに対して偏心させて支持するための偏心部材を有するシールドジャッキシューの振止及びジャッキロッドの回転防止装置において、上記ロッド或いは上記偏心部材に、これらロッド又は偏心部材からスキンプレート内周面へと延出されこのスキンプレート内周面と当接して摩擦させて上記シールドジャッキシュー及びロッドの回転を規制する回転規制手段を設けたものである。
【００１６】
そして、上記回転規制手段は、基端部が上記ロッド或いは偏心部材に固定され、他端部が上記スキンプレート内周面に延出されてスキンプレートの周方向に少なくとも二箇所以上で当接するように構成されたものが好ましい。
【００１７】
また、上記回転規制手段の他端部の上記スキンプレートとの当接部が、スキンプレート内周面よりも軟質な樹脂材料にて形成されたものが好ましい。
【００１８】
さらに、上記偏心部材が、上記シールドジャッキシューを上記シールドジャッキから偏心させる偏心金具と、この偏心金具の後端面に設けられ回転することで上記シールドジャッキシューの偏心量を変更させる偏心回転板とを備え、上記回転規制手段が、上記偏心回転板に予め取り付けられ上記シールドジャッキシューがシールド径方向内側に配置される時に上記スキンプレート内周面に当接するように構成されたものが好ましい。
【００１９】
また、上記偏心部材が、上記シールドジャッキシューを上記シールドジャッキから偏心させる偏心金具と、この偏心金具の後端面に取り付けられその取付位置を変更することで上記シールドジャッキシューの偏心量を変更させる偏心板とを備え、上記シールドジャッキシューがシールド径方向内側に配置される時に、上記回転規制手段が上記偏心金具に取り付けられ上記スキンプレート内周面に当接するように構成されたものが好ましい。
【００２０】
さらに、上記偏心部材が、上記シールドジャッキシューを上記シールドジャッキから偏心させる偏心金具と、この偏心金具の先端に設けられ回転することで上記シールドジャッキシューの偏心量を変更させる偏心回転板とを備え、上記回転規制手段が、上記偏心金具の側面に予め取り付けられ常時上記スキンプレート内周面に当接するように構成されたものが好ましい。
【発明の効果】
【００２１】
本発明によれば、小型で設置スペースが小さく、シールドジャッキシューがスキンプレートから離反してもその回転を規制することができるといった優れた効果を発揮する。
【発明を実施するための最良の形態】
【００２２】
以下、本発明を実施するための最良の形態を添付図面に基づいて詳述する。
【００２３】
図１は本発明に係るシールドジャッキシューの振止及びジャッキロッドの回転防止装置の好適な第一の実施の形態を示した側面図及び後面図、図２はシールドジャッキシューがスキンプレート側に位置した時の状態を示した側面図及び後面図、図３は配列されたシールドジャッキシューを後方から見たシールド掘進機の断面図である。
【００２４】
図３に示すように、シールドジャッキ１は、スキンプレート２の内部に周方向に所定の間隔を隔てて円環状に複数配置されている。本実施の形態では、シールドジャッキ１は、シールド掘進機３の径方向内方に配置されている。
【００２５】
図１及び図２に示すように、本実施の形態に係るシールドジャッキ１のロッド４の先端部には、既設セグメント（図示せず）の前端面を押圧するシールドジャッキシュー５が偏心部材６を介して設けられている。
【００２６】
偏心部材６は、ロッド４の先端からシールド径方向外側へ延出する偏心金具７と、この偏心金具７の後端面７ｂに設けられた偏心回転板８とで構成されている。
【００２７】
偏心金具７は、シールドジャッキシュー５をシールド径方向外側へ偏心させる。偏心金具７は、シールド掘進方向に厚さを有する円柱状に形成されており、その前端面７ａにロッド４が接続され、後端面７ｂに偏心回転板８がボルト９を介して固定されている。
【００２８】
偏心回転板８は、円板状に形成されており、その後端面８ｂの中心から偏心した位置には、後方に延びてシールドジャッキシュー５に係合する係合ピン１１が形成されている。偏心回転板８には、その周方向に所定間隔でボルト穴１２が複数形成されている。ボルト穴１２は、左右対称に形成されており、偏心回転板８を上下逆向き（１８０度回転）の状態で、偏心金具７にそれぞれ固定できるようになっている。偏心回転板８は、回転することでシールドジャッキシュー５の偏心量を変更・調整する。
【００２９】
シールドジャッキシュー５は、係合ピン１１が挿入される係合穴１４が形成された円柱状の胴部１５と、その胴部１５から両側に延びた押圧部（図３参照）１６とを備えている。押圧部１６は、既設セグメントの前端面に当接する。胴部１５及び係合ピン１１には、シールド径方向に延びるボルト穴１７、１８が同軸上にそれぞれ形成されており、これらのボルト穴１７、１８に図示しないボルトを挿通させることで、シールドジャッキシュー５が偏心回転板８に固定される。
【００３０】
偏心回転板８の後端面８ｂの係合ピン１１が設けられた側とは逆側部分（図１中、下側部分）には、当該偏心回転板８からスキンプレート２の内周面１９へと延出され当該スキンプレート２の内周面１９と当接して摩擦させて、シールドジャッキシュー５及びシールドジャッキ１のロッド４の回転を規制する回転規制手段２１が設けられている。
【００３１】
回転規制手段２１は、偏心回転板８に基端部２２が固定され、他端部２３がスキンプレート２の内周面１９側に延出されてスキンプレート２のシールド周方向に少なくとも二箇所以上で当接するように構成されている。
【００３２】
具体的には、回転規制手段２１は、基端部２２を含む基台部２４と、基台部２４のシールド周方向両端にそれぞれ設けられた一対の脚部２５とで構成されている。
【００３３】
基台部２４は、スチール等の金属にて形成され、偏心回転板８の直径と略同等の幅を有しており、その両端に脚部２５が取り付けられている。基台部２４のシールドジャッキシュー５側に位置する辺は、シールドジャッキシュー５の胴部１５の外周形状に合わせて円弧状に形成されている。基台部２４には、偏心回転板８の係合ピン１１が設けられた側とは逆側部分のボルト穴１２に相当する位置に、一対のボルト穴２６が形成されており、このボルト穴２６、１２にボルト２７を挿通して締め付けることで、回転規制手段２１が偏心回転板８に固定されている。
【００３４】
脚部２５は、二股状に配置され、その先端がスキンプレート２の内周面１９に当接している。脚部２５の先端（回転規制手段２１の他端部２３）には、スキンプレート２の内周面１９よりも軟質な樹脂材料にて形成された当接部２８が形成されている。この当接部２８を構成する樹脂材料は、スキンプレート２の内周面１９に対して、脚部２５が周方向に移動しない程度の摩擦力を有している。
【００３５】
回転規制手段２１は、偏心部材６である偏心回転板８に予め取り付けられており、シールドジャッキシュー５がスキンプレート２から離反してシールド径方向内側（偏心量小位置）に配置される時に、スキンプレート２側へ位置し、内周面１９に当接するように構成されている。
【００３６】
すなわち、シールドジャッキシュー５が、図２に示すように、シールド径方向外側のスキンプレート２側（偏心量大位置）にあるときは、回転規制手段２１は、シールド径方向内側に待避されている。このとき、シールドジャッキシュー５は、スキンプレート２の内周面１９と近接しているので、回転することはない。
【００３７】
この状態から、図１に示すように、シールドジャッキシュー５を、シールド径方向内側（偏心量小位置）に移動させるには、まず、作業を行う部分のシールドジャッキ１を所定距離縮退させて、この縮退によってあいた空間を作業スペースとする。そして、シールドジャッキシュー５を固定しながら胴部１５と係合ピン１１とを固定しているボルトを抜き、シールドジャッキシュー５を取り外す。その後、偏心回転板８の後部からボルト９を抜いて、偏心回転板８を偏心金具７から一旦取り外す。そして、偏心回転板８を１８０度回転させて、再度ボルト９によって偏心金具７に固定する。その後、シールドジャッキシュー５を偏心回転板８に取り付ける。この作業を、シールド周方向に設けられた各シールドジャッキシュー５毎に順次行う。
【００３８】
上記構成によれば、シールドジャッキシュー５の偏心移動作業を行うと同時に、予め偏心回転板８に取り付けられていた回転規制手段２１は、スキンプレート２の内周面１９と当接する位置に配置される。これによって、シールドジャッキシュー５がスキンプレート２から離反しても、回転規制手段２１がスキンプレート２の内周面１９に当接している。よって、シールドジャッキシュー５がシールドジャッキ１のロッド４を中心に回転しようとしても、脚部２５がスキンプレート２に押し当てられるだけで移動できないので、偏心金具７及びシールドジャッキシュー５及びロッド４の回転が確実に規制される。
【００３９】
これによって、図３に示すように、シールドジャッキシュー５は、回転せず、既設セグメントに対して最適な位置を保持できる。また、シールドジャッキシュー５の一端部がシールド掘進機３の内部側に入り込んで組立前のセグメントや他の構成部材に干渉したり、他端部がスキンプレート２の内周面１９に当接してスキンプレート２を損傷させることはない。
【００４０】
さらに、上記構成の回転規制手段２１は、スキンプレート２に近接している偏心回転板８に設けられているので、回転規制手段２１の小型化が達成され、小さい設置スペースでも取付可能である。よって、シールドジャッキ１を必要以上にスキンプレート２から離反させる必要がなく、シールドジャッキ１とシールドジャッキシュー５の偏心量を抑えることができるので、シールドジャッキ１の大型化を防止できる。
【００４１】
また、回転規制手段２１を予め偏心回転板８の所定位置に取り付けているので、偏心回転板８を回転させるだけで、回転規制手段２１をスキンプレート２の内周面１９に当接する位置に配置させることができる。
【００４２】
上記構成によれば、シールドジャッキ１の伸縮時に、回転規制手段２１の脚部２５が、スキンプレート２に対してシールド軸方向に摺動することとなるが、脚部２５のスキンプレート２との当接部２８を軟質な樹脂材料にて形成しているので、スキンプレート２の内周面１９を傷付けることはない。
【００４３】
図４は本発明に係るシールドジャッキシューの振止及びジャッキロッドの回転防止装置の好適な第二の実施の形態を示した側面図及び後面図、図５はシールドジャッキシューがスキンプレート側に位置した時の状態を示した側面図及び後面図である。
【００４４】
本実施の形態に係るシールドジャッキシューの振止及びジャッキロッドの回転防止装置は、偏心金具７の後端面に回転規制手段２１が取り付けられている。
【００４５】
本実施の形態では、図１の偏心回転板８に相当する偏心板３１が、偏心金具７に取り付けられている。偏心板３１は、スチール等の金属によって構成され、略矩形状に形成されている。
【００４６】
偏心金具７には、偏心板３１に形成されたボルト穴３２よりも多数のボルト穴３３が形成されている。ボルト穴３３は、シールド径方向に所定のピッチで多数配列されており、偏心板３１の偏心金具７への取付位置を変えることで、シールドジャッキシュー５のシールドジャッキ１に対する偏心量を変更させるようになっている。
【００４７】
回転規制手段２１は、偏心板３１をシールド径方向内側（偏心量小位置）に移動させたときに、偏心金具７の後端面に固定される。具体的には、偏心金具７の最もスキンプレート２側に位置するボルト穴３３が、偏心板３１を移動させたときに空くので、このボルト穴３３を利用して回転規制手段２１を固定する。すなわち、シールドジャッキシュー５がシールド径方向外側に位置する時には、回転規制手段２１は取り付けられておらず、シールドジャッキシュー５をシールド径方向内側に移動させたときに、回転規制手段２１は偏心金具７に取り付けられる。
【００４８】
回転規制手段２１は、上述のものと同様に基台部２４と脚部２５とを有している。基台部２４のシールドジャッキシュー５側に位置する辺は、偏心板３１の外周形状に合わせて直線状に形成されている。
【００４９】
なお、その他の構成については、第一の実施の形態の振止及びジャッキロッドの回転防止装置と同様であるので、同じ符号を付してその説明を省略する。
【００５０】
本実施の形態においても、第一の実施の形態の振止及びジャッキロッドの回転防止装置と同様に、シールドジャッキシュー５がスキンプレート２から離反しても、その回転を規制でき、また、回転規制手段２１の小型化が達成され、シールドジャッキシュー５の偏心量を抑えることができるので、シールドジャッキ１の大型化を防止できるといった作用効果を得られる。
【００５１】
図６は本発明に係るシールドジャッキシューの振止及びジャッキロッドの回転防止装置の好適な第三の実施の形態を示した側面図及び後面図である。
【００５２】
本実施の形態に係るシールドジャッキシューの振止及びジャッキロッドの回転防止装置は、回転規制手段２１がロッド４に直接設けられている。
【００５３】
回転規制手段２１は、図１の基台部２４よりもシールド径方向に長く形成された基台部３４と、その先端部に設けられた脚部２５とで構成されている。基台部３４の基端部３５にはシールド径方向に延びるボルト穴３９が形成されており、ロッド４にはシールド径方向に延びるボルト穴４０が形成されている。これらのボルト穴４０、３９にボルト３６を挿通して締め付けることで、回転規制手段２１がロッド４に固定される。
【００５４】
上記構成によれば、シールドジャッキシュー５の偏心位置（偏心量）に拘わらず、回転規制手段２１がスキンプレート２の内周面１９に当接しており、常にシールドジャッキシュー５の回転を規制することができ、上述の第一及び第二の実施の形態と同様の作用効果を得ることができる。
【００５５】
ロッド４と回転規制手段２１との固定方法は、上記構成に限られるものではなく、例えば図７に示すように、ロッド４の外周面を囲繞して、ボルト３７で固定される一対の半円状バンド部材３８を基台部３４の基端部３５に取り付けるようにしてもよい。
【００５６】
なお、上記実施の形態では、回転規制手段２１が、基台部２４、３４に、二股状の脚部２５を設けて、二箇所でスキンプレート２と接触しているが、これに限られるものではない。脚部２５のスキンプレート２との当接部２８が、シールド周方向に所定以上の長さを有していれば、回転規制手段２１とスキンプレート２とが一箇所のみの接触であってもよい。また、回転規制手段２１とスキンプレート２との接触箇所数は三箇所以上であってもよいのは勿論である。
【００５７】
図８は本発明に係るシールドジャッキシューの振止及びジャッキロッドの回転防止装置の好適な第四の実施の形態を示した側面図及び後面図である。
【００５８】
本実施の形態に係るシールドジャッキシューの振止及びジャッキロッドの回転防止装置は、偏心金具７の側面両側に回転規制手段２１が取り付けられている。
【００５９】
偏心金具７の側面には、回転規制部材２１を取り付けるためのシールド径方向に沿った平面部４１を有する切欠き部４３が形成されている。この切欠き部４３には、平面部４１に沿って配置され、スキンプレート２の内周面１９まで延びるプレート４４（回転規制部材２１）がボルト４５を介して取り付けられている。切欠き部４３及びプレート４４は、偏心金具７の側面両側に形成されている。
【００６０】
なお、その他の構成については、第一の実施の形態のシールドジャッキシューの振止及びジャッキロッドの回転防止装置と同様であるので、同じ符号を付してその説明を省略する。
【００６１】
上記構成によれば、シールドジャッキシュー５の偏心位置に拘わらず、回転規制手段２１がスキンプレート２の内周面１９に当接しており、常時シールドジャッキシュー５及びロッド４の回転を規制することができ、上述の実施の形態と同様の作用効果を得ることができる。
【図面の簡単な説明】
【００６２】
【図１】本発明に係るシールドジャッキシューの振止及びジャッキロッドの回転防止装置の好適な第一の実施の形態を示した（ａ）は側面図、（ｂ）は後面図である。
【図２】シールドジャッキシューの非偏心時の状態を示した（ａ）は側面図、（ｂ）は後面図である。
【図３】配列されたシールドジャッキシューを後方から見たシールド掘進機の断面図である。
【図４】本発明に係るシールドジャッキシューの振止及びジャッキロッドの回転防止装置の好適な第二の実施の形態を示した（ａ）は側面図、（ｂ）は後面図である。
【図５】シールドジャッキシューの非偏心時の状態を示した（ａ）は側面図、（ｂ）は後面図である。
【図６】本発明に係るシールドジャッキシューの振止及びジャッキロッドの回転防止装置の好適な第三の実施の形態を示した（ａ）は側面図、（ｂ）は後面図である。
【図７】ロッドと回転規制手段との固定状態を示した後面図である。
【図８】本発明に係るシールドジャッキシューの振止及びジャッキロッドの回転防止装置の好適な第四の実施の形態を示した（ａ）は側面図、（ｂ）は後面図である。
【図９】従来の配列されたシールドジャッキシューを後方から見たシールド掘進機の断面図である。
【図１０】従来のシールドジャッキシューの回転防止機構を示した断面図である。
【図１１】従来のシールドジャッキシューの回転防止機構を示した断面図である。
【図１２】従来のシールドジャッキシューの回転防止機構を示した断面図である。
【符号の説明】
【００６３】
１  シールドジャッキ
２  スキンプレート
４  ロッド
５  シールドジャッキシュー
６  偏心部材
７  偏心金具
８  偏心回転板
１９  （スキンプレートの）内周面
２１  回転規制手段
２２  （回転規制手段の）基端部
２３  （回転規制手段の）他端部
２８  当接部
３１  偏心板
【図１】
2005179946.tif 000003
【図２】
2005179946.tif 000004
【図３】
2005179946.tif 000005
【図４】
2005179946.tif 000006
【図５】
2005179946.tif 000007
【図６】
2005179946.tif 000008
【図７】
2005179946.tif 000009
【図８】
2005179946.tif 000010
【図９】
2005179946.tif 000011
【図１０】
2005179946.tif 000012
【図１１】
2005179946.tif 000013
【図１２】
2005179946.tif 000014